(57)【要約】【課題】蓋体を開ける動作を片手で簡単に行うことを目的とする。【解決手段】蓋体５の回転軸５０に、その径方向の外側へ膨出した膨出部１１が形成され、天板部には、回転軸５０をその径方向の外側から挟持する一対の挟持部材３０，３１が設けられ、一対の挟持部材３０，３１のうちの少なくとも一方には、膨出部１１が摺接する摺接面３３が形成されており、蓋体５の回転軸周りの回転に伴い回転軸５０が回転し、膨出部１１が摺接面３３を押圧し、一対の挟持部材３０，３１のうちの少なくとも一方の挟持部材３０が、他方の挟持部材３１から離間するようにキャップ軸Ｏ方向に弾性変形して揺動する。【選択図】図３
2008273550.tif 000002
【特許請求の範囲】
【請求項１】
容器本体の口部に取り付けられ、前記容器本体内の内容物を振り出すための振り出し口が設けられた筒形状のキャップ本体と、
該キャップ本体の天板部に配置され、キャップ軸の垂直面に沿って延在する回転軸周りに回転可能に取り付けられ、前記振り出し口を開閉する蓋体と、
を備える振り出し容器用キャップであって、
前記回転軸には、その径方向の外側へ膨出した膨出部が形成され、
前記天板部には、前記回転軸をその径方向の外側から挟持する一対の挟持部材が設けられ、
該一対の挟持部材のうちの少なくとも一方には、前記膨出部が摺接する摺接面が形成されており、
前記蓋体の回転軸周りの回転に伴い前記回転軸が回転し、前記膨出部が前記摺接面をキャップ軸方向に押圧し、前記一対の挟持部材のうちの少なくとも一方の挟持部材が、他方の挟持部材から離間するようにキャップ軸方向に弾性変形して揺動することを特徴とする振り出し容器用キャップ。
【請求項２】
請求項１記載の振り出し容器用キャップにおいて、
前記天板部には、キャップ軸方向の容器本体側へ向うに従い漸次縮径された嵌合凹部が、揺動可能な前記挟持部材の基端側に隣接する位置に形成され、
前記蓋体の裏面には、前記嵌合凹部に嵌合される嵌合凸部が突設されていることを特徴とする振り出し容器用キャップ。
【発明の詳細な説明】
【技術分野】
【０００１】
本発明は、容器本体の口部に取り付けられるキャップであって、振る動作によって容器本体内の内容物を外に出す振り出し容器に用いられる振り出し容器用キャップに関する。
【背景技術】
【０００２】
従来より、粉状或いは顆粒状の内容物を収容する容器として振り出し容器がある。振り出し容器は、容器本体の口部に取り付けられたキャップに、複数の貫通穴からなる振り出し口が設けられた構成となっている。このような振り出し容器では、容器を下向き或いは横向きにした状態で繰り返し振ることで、振り出し口から容器内の内容物が振り出される。
【０００３】
また、振り出し容器用のキャップには、振り出し口を塞ぐための蓋体が取り付けられているものが多い。蓋体としては、キャップ本体に回転可能に取り付けられて上向きに開くものがある。この蓋体が閉められると、蓋体が振り出し口を覆って塞ぐ（例えば、特許文献１参照。）。
【特許文献１】特開平１０−１６７３０２号公報
【発明の開示】
【発明が解決しようとする課題】
【０００４】
しかしながら、上記した従来の振り出し容器用キャップでは、蓋体を開ける動作を片手で行うのが困難であるという問題が存在する。すなわち、容器本体を握った手の指で蓋体を押し上げようとしても、蓋体を開けきるところまで指先が届かず、蓋体を開けることができない。
【０００５】
また、上記した従来の振り出し容器用キャップでは、蓋体を開位置で保持することができないため、蓋体を開けた後に内容物を振り出す際、振り出し動作に伴い蓋体が揺動し、使い難いという問題がある。
【０００６】
本発明は、上記した従来の問題が考慮されたものであり、蓋体を開ける動作を片手で簡単に行うことができ、さらに、振り出し動作中の蓋体の揺動を抑えることができ、操作性に優れて使い易い振り出し容器用キャップを提供することを目的としている。
【課題を解決するための手段】
【０００７】
本発明に係る振り出し容器用キャップは、容器本体の口部に取り付けられ、前記容器本体内の内容物を振り出すための振り出し口が設けられた筒形状のキャップ本体と、該キャップ本体の天板部に配置され、キャップ軸の垂直面に沿って延在する回転軸周りに回転可能に取り付けられ、前記振り出し口を開閉する蓋体と、を備える振り出し容器用キャップであって、前記回転軸には、その径方向の外側へ膨出した膨出部が形成され、前記天板部には、前記回転軸をその径方向の外側から挟持する一対の挟持部材が設けられ、該一対の挟持部材のうちの少なくとも一方には、前記膨出部が摺接する摺接面が形成されており、前記蓋体の回転軸周りの回転に伴い前記回転軸が回転し、前記膨出部が前記摺接面をキャップ軸方向に押圧し、前記一対の挟持部材のうちの少なくとも一方の挟持部材が、他方の挟持部材から離間するようにキャップ軸方向に弾性変形して揺動することを特徴としている。
【０００８】
このような特徴により、閉位置の蓋体を開ける際には、閉位置の蓋体を指等で回転軸周りに開位置方向へ回転させ、閉位置と開位置との中間位置まで蓋体を押し上げる。蓋体が回転軸周りに開位置方向へ回転すると、それに伴い回転軸も回転する。このとき、膨出部は、摺接面をキャップ軸方向に押圧しつつ摺接面上を摺動し、摺接面に対する膨出部の膨出方向の傾斜角度が徐々に大きくなる。また、挟持部材は、摺接面が押圧されることで、キャップ軸方向に弾性変形し、もう一方の挟持部材から離間する方向へ揺動する。そして、摺接面に対する膨出部の膨出方向の角度が略９０度を超えた時点で、弾性変形した挟持部材の弾性付勢力により、回転軸が蓋体を開ける方向へ回転し、摺接面に対する膨出部の膨出方向の傾斜角度が徐々に小さくなる。これにより、蓋体が開位置方向へ向けて回転軸周りに回転し、蓋体が開けられる。また、摺接面に対する膨出部の膨出方向の角度が略９０度を超えたところで、明瞭なクリック感が得られる。
一方、開位置の蓋体を閉める際には、開位置の蓋体を指等で回転軸周りに閉位置方向へ回転させ、開位置と閉位置との中間位置まで蓋体を押し下げる。これにより、上述した蓋体を開ける場合と同様に、膨出部が摺接面を押圧しつつ摺接面上を摺動し、摺接面に対する膨出部の膨出方向の角度が略９０度を超えた時点で、挟持部材の弾性付勢力により、回転軸が蓋体を閉じる方向へ回転する。これにより、蓋体が閉位置方向へ向けて回転軸周りに回転し、蓋体が閉じられる。
【０００９】
また、本発明に係る振り出し容器用キャップは、前記天板部には、キャップ軸方向の容器本体側へ向うに従い漸次縮径された嵌合凹部が、揺動可能な前記挟持部材の基端側に隣接する位置に形成され、前記蓋体の裏面には、前記嵌合凹部に嵌合される嵌合凸部が突設されていることが好ましい。
【００１０】
これにより、閉位置の蓋体を開ける際に、上述したように挟持部材が弾性変形することで、嵌合凹部の内周面により嵌合凸部が押し上げられ、蓋体が開位置方向へ付勢される。
一方、開位置の蓋体を閉める際に、嵌合凸部が嵌合凹部内に嵌合されることで、蓋体の位置決めがなされる。
【発明の効果】
【００１１】
本発明に係る振り出し容器用キャップによれば、摺接面に対する膨出部の膨出方向の角度が略９０度を超える位置まで、指等で蓋体を押し上げれば、その後は、挟持部材の弾性付勢力により、蓋体が開位置まで回転するので、蓋体を開けきるところまで指等で押し上げる必要がない。したがって、蓋体を開ける動作を片手で簡単に行うことができる。また、摺接面に対する膨出部の膨出方向の角度が略９０度を超えたところで、明瞭なクリック感を得ることができる。さらに、蓋体が開位置に配置されたとき、一対の挟持部材によって回転軸の回転が抑えられる。このため、振り出し動作中の蓋体の揺動を抑えることができる。このように、蓋体の開閉動作や振り出し動作における操作性が向上し、使い易くなる。
【発明を実施するための最良の形態】
【００１２】
以下、本発明に係る振り出し容器用キャップの実施の形態について、図面に基づいて説明する。
【００１３】
図１は振り出し容器用キャップ１の平面図であり、図２は振り出し容器用キャップ１の側面図であり、図３〜図５は図１に示すＡ−Ａ間の断面図である。
なお、以下に説明する実施の形態では、振り出し容器用キャップ１からみてキャップ軸の容器本体２側（図２における下側）を「下方」とし、その反対側（図２における上側）を「上方」とする。また、後述する回転軸５０の延在方向（図１における縦方向）を「左右方向」とする。さらに、キャップ軸Ｏの垂直面において回転軸５０の延在方向に直交する方向（図１における横方向）を「前後方向」とし、後述する振り出し口４７からみて回転軸５０側（図１における右側）をキャップ後面側とし、その反対側（図１における左側）をキャップ前面側とする。
【００１４】
図１〜図５に示すように、振り出し容器用キャップ１は、粉状或いは顆粒状の内容物を収容する容器本体２に装着されるキャップであり、容器本体２の図示せぬ口部に被せるように取り付けられる略円筒形状のキャップ本体４と、キャップ本体４の天板部４１に配置され、キャップ軸Ｏの仮想垂直面に沿って延在する回転軸５０周りに回転可能に取り付けられた蓋体５と、から構成されている。
上記した容器本体２の口部は、その下の胴部２１よりも小径になっており、キャップ本体４の外周面と容器本体２の胴部２１外周面とは略面一になっている。
【００１５】
［キャップ本体］
キャップ本体４は、例えば合成樹脂などからなる部材であって、天板部４１と、天板部４１の外周縁に垂設された外筒部４０と、天板部４１の裏面に垂設された内筒部４２とを備えた構成からなる。
【００１６】
外筒部４０の内周面には、雌ネジ部４０ａが形成されている。この雌ネジ部４０ａが容器本体２の口部に形成された雄ネジ部に螺着することによって、振り出し容器用キャップ１が容器本体２に取り付けられている。
天板部４１は、縦断面弓形に湾曲したドーム状に形成されている。
【００１７】
内筒部４２は、外筒部４０よりも径が小さい略円筒形状の部位であり、外筒部４０の内側に設けられている。この内筒部４２は、外筒部４０と同軸に配設されており、キャップ軸Ｏに沿って延在されている。この内筒部４２は、例えば、その下端面が容器本体２の口部の上端面に当接されており、容器本体２の口部上に支持された状態となっている。また、内筒部４２が口部より小径であり、内筒部４２の下端部が容器本体２の口部の内側に嵌合された構成であってもよい。また、内筒部４２の下端部が、段状に形成され、容器本体２の口部の内側に嵌合されるとともに口部上に支持された構成であってもよい。
【００１８】
キャップ本体４には、キャップ径方向（前後方向）に延在する溝４３が形成されている。この溝４３は、天板部４１のキャップ後面側の端部から、天板部４１の中央を横断するように前方側へ延び、さらに、天板部４１のキャップ前面側の端部から外筒部４０のキャップ前面側の外周面に沿ってキャップ軸Ｏ方向の下側へ延び、外筒部４０のキャップ前面側の外周面におけるキャップ軸Ｏ方向の略中央位置まで形成されている。具体的に説明すると、溝４３は、外筒部４０のキャップ前面側の外周面に形成された縦浅溝部４４と、天板部４１のキャップ前面側の部分に形成された横浅溝部４５と、天板部４１のキャップ後面側の部分に形成された深溝部４６と、からなる。
【００１９】
縦浅溝部４４は、外筒部４０の外周面より蓋体５の厚さ分程度だけ凹んだ溝であり、その底壁部４４ａは、閉位置の蓋体５の後述する垂壁部５３の裏面に沿って平面視円弧状に湾曲されている。縦浅溝部４４の底壁部４４ａの下部には、キャップ径方向外側へ突出するフランジ状の被係合部４８が突設されている。この被係合部４８は、キャップ周方向に沿って延在されている。
【００２０】
横浅溝部４５は、天板部４１の表面より蓋体５の厚さ分程度だけ凹んだ溝であり、その底壁部４５ａは、後述する閉位置の蓋体５の蓋本体部５２の裏面に沿って湾曲されている。前記底壁部４５ａには、複数の貫通穴４７ａ…からなる振り出し口４７が形成されている。この振り出し口４７（貫通穴４７ａ…）は内筒部４２の内部空間に開放されている。また、前記底壁部４５ａのキャップ後面側には、回転軸５０方向に延在する溝状の嵌合凹部４９が形成されている。この嵌合凹部４９は、下方へ向うに従い漸次縮幅された断面略Ｖ字状の溝であり、横浅溝部４５の底壁部４５ａのキャップ後面側の端部から垂設された垂壁部４６ｃと、垂壁部４６ｃの基端部から斜め上方に延設された傾斜壁４６ｄと、から構成されている。この嵌合凹部４９は、天板部４１の略中央位置に配設されており、後述する上側の挟持部材３０の基端側（キャップ前面側）に隣接する位置に形成されている。また、底壁部４５ａの左右両側の側端部には、溝４３の延在方向（前後方向）に沿って延在する図示せぬ脇溝がそれぞれ形成されている。
深溝部４６は、浅溝部４４よりも深く凹んだ溝である。深溝部４６は、対向配置された側壁部４６ａ、４６ａと、横浅溝部４５の底壁部４５ａよりも下方に位置し上記側壁部４６ａ、４６ａ間に設けられた底壁部４６ｂと、上記傾斜壁４６ｄと、から構成されている。深溝部４６の底壁部４６ｂは、キャップ軸Ｏの仮想垂直面に沿って延在されている。
【００２１】
深溝部４６内には、回転軸５０を上下から挟持する一対の挟持部材３０，３１が設けられている。これら一対の挟持部材３０，３１は、キャップ軸Ｏの仮想垂直面に沿って延在された板状の部材であり、傾斜壁４６ｄにそれぞれ片持ち支持されている。具体的に説明すると、一対の挟持部材３０，３１は、傾斜壁４６ｄに連結され、上側の挟持部材３０は、傾斜壁４６ｄの上端部からキャップ後面側へ向けて突出され、また、下側の挟持部材３１は、傾斜壁４６ｄの中間部からキャップ後面側へ向けて突出されている。つまり、一対の挟持部材３０，３１は、キャップ後面側に開口した構成になっている。これら一対の挟持部材３０，３１は、互いに間隔をおいて上下に対向配設されており、また、下側の挟持部材３１は深溝部４６の底壁部４６ａとの間に空間があけられている。また、一対の挟持部材３０，３１の左右両側の端面と深溝部４６の側壁部４６ａ、４６ａとの間には図示せぬ隙間があけられている。
【００２２】
上側の挟持部材３０の下面には、回転軸５０方向（左右方向）に延在する断面略台形状の凹溝３２が形成されている。この凹溝３２の底面は、回転軸５０の膨出部１１が摺接する摺接面３３であり、平滑な平面になっている。この摺接面３３は、蓋体５が閉位置にある状態においてキャップ軸Ｏの垂直面に沿って延在される。また、下側の挟持部材３１の上面には、回転軸５０方向（左右方向）に延在する断面円弧形状の円弧溝３４が形成されている。円弧溝３４は、回転軸５０が嵌め込まれ、回転軸５０の外周面が摺接される溝であり、凹溝３２に対向する位置に形成されている。
【００２３】
［蓋体］
蓋体５は、上記した振り出し口４７を開閉するためのものであり、例えば合成樹脂などからなる部材である。蓋体５は、蓋体５が閉位置にある状態において、溝４３の延在方向（前後方向）に沿って延設され互いに間隔をおいて対向配置された一対の側板部５１，５１と、一対の側板部５１，５１のキャップ前面側部分の間に架設された湾曲板状の蓋本体部５２と、蓋本体部５２の前端から下方へ垂設された垂壁部５３と、一対の側板部５１，５１の後端部分の間に架設された端板部５４と、から構成されている。
【００２４】
一対の側板部５１，５１は、蓋体５が閉位置にある状態において溝４３の内側に配置されるものである。側板部５１は、上辺が円弧形状を成し、下辺の基端側（回転軸５０側）が湾曲し、下辺の先端側が直線的な形状のものである。蓋体５が閉位置にある状態において、側板部５１の上辺は、天板部４１の表面に沿って湾曲され、基端側の下辺は下方に向けて湾曲され、先端側の下辺はキャップ軸Ｏの垂直面に沿って延在される。また、蓋体５が閉位置にあるとき、側板部５１のキャップ前面側の下辺部分は、横浅溝部４５の底壁部４５ａに形成された上記図示せぬ脇溝の内側に挿入される。また、側板部５１のキャップ後面側の部分は、一対の挟持部材３０，３１の端面と深溝部４６の側壁部４６ａ、４６ａとの間の上記図示せぬ隙間の内側に配置されている。
【００２５】
上記した一対の側板部５１，５１の基端部間には、回転軸５０が架設されている。回転軸５０は、キャップ軸Ｏの垂直面に沿って延在し上記一対の挟持部材３０，３１間に挿通された筒状のものであり、回転軸５０の両端は、側板部５１，５１にそれぞれ固定されている。回転軸５０の内孔５０ａは、両側の側板部５１，５１をそれぞれ貫通しており、その両端が開放されている。
【００２６】
回転軸５０には、その径方向の外側へ膨出した膨出部１１が形成されている。膨出部１１は最大半径部であり、膨出部１１の、回転軸５０の径方向中央部を中心にした半径Ｒは、回転軸５０の他の部分よりも大きくなっている。具体的に説明すると、回転軸５０は、その軸線の垂直面に沿った断面において、円環形の一部分に矩形の角部や山形状の突出部が形成された形状になっている。なお、前記した突出部が、上記膨出部１１となっている。この回転軸５０は、図３に示すように蓋体５が閉位置にあるときは、膨出部１１がキャップ前面側に傾倒され、膨出部１１の半径Ｒ方向（膨出方向）が摺接面３３に対して斜めに延在される。また、図４に示すように蓋体５が閉位置と開位置との中間位置にあるときは、膨出部１１がキャップ軸Ｏ方向上側に向けられ、膨出部１１の半径Ｒ方向が摺接面３３に対して垂直になる。また、図５に示すように蓋体５が開位置にあるとき、膨出部１１がキャップ後面側に傾倒され、膨出部１１の半径Ｒ方向が摺接面３３に対して斜めに延在される。
【００２７】
蓋本体部５２は、蓋体５が図１、図３に示す閉位置にある状態において、上記した横浅溝部４５の内側に嵌合されるものである。蓋体５が閉位置にある状態における蓋本体部５２は、その表面が天板部４１の表面に対してほぼ段差無く配置される。蓋本体部５２の裏面には、複数の突起５５…が配設されている。これらの突起５５…は、蓋体５が閉じられたとき、振り出し口４７の貫通穴４７ａ…にそれぞれ挿入される。これらの突起５５…は、蓋体５が開けられると、上方に向けて立ち上がる蓋本体部５２とともに移動し、貫通穴４７ａ…内から引き抜かれる。なお、上記した突起５５…に代えて、貫通穴４７ａ…に嵌合される栓を用いてもよい。
【００２８】
また、蓋本体部５２の裏面の回転軸５０側（キャップ後面側）の端部中央には、嵌合凸部５６が突設されている。この嵌合凸部５６は、蓋体５が閉位置にある状態において、上記した天板部４１の嵌合凹部４９内に嵌合されるものであり、下方へ向うに従い漸次縮幅された中空の楔形状のものである。
【００２９】
垂壁部５３は、蓋体５が図１、図３に示す閉位置にある状態において、上記した縦浅溝部４４の内側に嵌合されるものである。垂壁部５３は、湾曲した板状のものであり、蓋体５が閉位置にある状態における垂壁部５３は、その表面が外筒部４０外周面に対してほぼ段差無く配置される。また、垂壁部５３の基端部（キャップ軸Ｏ方向の上側の端部）の表面には、蓋体５を開ける際に指等を引っ掛けるための引掛凸部５７が形成されている。引掛凸部５７は、キャップ径方向外側へ膨出され、キャップ周方向に沿って延在されている。
【００３０】
また、蓋本体部５２の先端部の裏面には、蓋体５が閉位置に配置されたときに上記した被係合部４８にアンダーカット係合される係合部５９が突設されている。この係合部５９は、キャップ径方向内側へ突出され、キャップ周方向に沿って延在されている。なお、この係合部５９および上記した被係合部４８により、蓋体５を閉位置に保持する係止手段が構成されている。
【００３１】
端板部５４は、湾曲した板状のものである。端板部５４は、図３に示すように蓋体５が閉位置にあるとき、一対の挟持部材３０，３１のキャップ後面側に配置され、一対の挟持部材３０，３１間の空間を閉塞する位置に配置される。一方、図５に示すように蓋体５が開位置にあるとき、端板部５４は、下側の挟持部材３１の下方に配置される。
【００３２】
次に、上記した構成からなる振り出し容器用キャップ１の作用について説明する。
【００３３】
上記した振り出し容器用キャップ１では、蓋体５を回転させて閉位置に配置し、上記した係合部５９を被係合部４８に係止させることで、蓋体５が、図１〜図３に示す閉位置で保持される。これにより、振り出し口４７が蓋体５によって閉塞される。
【００３４】
一方、図３に示す閉位置の蓋体５を開ける際には、蓋体５を回転軸５０周りに開位置方向へ回転させ、蓋体５を図４に示す閉位置と開位置との中間位置まで押し上げる。例えば、容器本体２を片手で握り、その握った手の親指等の先端を蓋体５の引掛凸部５７に引っ掛け、そのまま開位置方向へ押し上げる。これにより、蓋体５が回転軸５０周りに開位置方向へ回転し、これに伴い回転軸５０が回転する。このとき、摺接面３３に対して斜めに配置された膨出部１１は、摺接面３３を押圧しつつ摺接面３３上を摺動し、摺接面３３に対する膨出部１１の半径Ｒ方向の傾斜角度が徐々に大きくなって直角（９０度）に近づいていく。
【００３５】
また、膨出部１１により摺接面３３が押圧されることで、上側の挟持部材３０は、キャップ軸Ｏ方向に弾性変形し、下側の挟持部材３１から離間する方向（上方）へ揺動する。これにより、嵌合凹部４９の内周面（テーパー面）により嵌合凸部５６が押し上げられ、蓋体５が開位置方向へ付勢される。
【００３６】
そして、図４に示すように、摺接面３３に対する膨出部１１の半径Ｒ方向の角度が略９０度を超えた時点で、弾性変形した上側の挟持部材３０の弾性付勢力により、回転軸５０が蓋体５を開ける方向へ軸回転し、摺接面３３に対する膨出部１１の半径Ｒ方向の傾斜角度が徐々に小さくなる。これにより、蓋体５が、回転軸５０とともに開位置方向へ向けて回転軸５０周りに回転し、蓋体５が図５に示す開位置まで開けられる。
また、図５に示すように、蓋体５が開位置に配置されたとき、膨出部１１は、摺接面３３に対して斜めに配置される。
また、摺接面３３に対する膨出部１１の半径Ｒ方向の角度が略９０度を超えたところで、明瞭なクリック感が得られる。
【００３７】
一方、図５に示す開位置の蓋体５を閉める際には、蓋体５を回転軸５０周りに閉位置方向へ回転させ、図４に示す開位置と閉位置との中間位置まで蓋体５を押し下げる。例えば、容器本体２を片手で握り、その握った手の人差し指等で蓋本体部５２の表面を押圧し、そのまま閉位置方向へ押し下げる。これにより、上述した蓋体５を開ける場合と同様に、膨出部１１が摺接面３３を押圧しつつ摺接面３３上を摺動し、上側の挟持部材３０が上方へ揺動する。そして、摺接面３３に対する膨出部１１の半径Ｒ方向の角度が略９０度を超えた時点で、上側の挟持部材３０の弾性付勢力により、回転軸５０が蓋体５を閉じる方向へ軸回転する。これにより、蓋体５が閉位置方向へ向けて回転軸５０周りに回転し、蓋体５が閉じられる。
【００３８】
また、上述したように、上側の挟持部材３０の弾性付勢力により、蓋体５を閉位置まで閉じる際に、嵌合凸部５６を嵌合凹部４９内に嵌合させることで、蓋体５の位置決めがなされる。
【００３９】
上記した構成からなる振り出し容器用キャップ１によれば、摺接面３３に対する膨出部１１の半径Ｒ方向の角度が略９０度を超える位置（図４に示す位置）まで、指等で蓋体５を押し上げれば、その後は、上側の挟持部材３０の弾性付勢力により、蓋体５が開位置（図５に示す位置）まで回転するので、蓋体５を開けきるところまで指等で押し上げる必要がない。したがって、蓋体５を開ける動作を片手で簡単に行うことができ、蓋体５の開閉動作の操作性が向上し、使い易くなる。
【００４０】
また、摺接面３３に対する膨出部１１の半径Ｒ方向の角度が略９０度を超えたところで、明瞭なクリック感を得ることができる。これにより、蓋体５が開け易くなる。
また、蓋体５が開位置に配置されたとき、膨出部１１が摺接面３３に対して斜めに配置されるため、一対の挟持部材３０，３１によって回転軸５０の軸回転が抑えられる。これにより、内容物を振り出す振り出し動作中の蓋体５の揺動を抑えることができ、蓋体５の振り出し動作の操作性が向上し、使い易くなる。
【００４１】
さらに、閉位置の蓋体５を開ける際に、嵌合凹部４９の内周面により嵌合凸部５６が押し上げられるので、より一層、蓋体５が開け易くなる。
また、開位置の蓋体５を閉める際に、嵌合凸部５６を嵌合凹部４９内に嵌合させることで、蓋体５の位置決めがなされるので、より一層、蓋体５が閉め易くなる。
【００４２】
以上、本発明に係る振り出し容器用キャップの実施の形態について説明したが、本発明は上記した実施の形態に限定されるものではなく、その趣旨を逸脱しない範囲で適宜変更可能である。
例えば、上記した実施の形態では、円筒形状の一部が角形や山形状になった回転軸５０が用いられているが、本発明の回転軸の形状はこれに限定されるものではない。例えば、断面形状が四角形や菱形等の回転軸であってもよく、或いは、断面形状が楕円形（小判形）の回転軸であってもよく、或いは、断面形状が勾玉形等の他の形状の回転軸であってもよい。
【００４３】
また、上記した実施の形態では、一対の挟持部材３０，３１により上下から回転軸５０を挟持しているが、本発明は、一対の挟持部材により、回転軸をその径方向の外側から挟持するものであればよい。例えば、一対の挟持部材をキャップ前後方向に対向配置させ、この一対の挟持部材により前後方向から回転軸を挟持してもよい。
【００４４】
また、上記した実施の形態では、上側の挟持部材３０に摺接面３３が形成され、回転軸５０の軸回転に伴い上側の挟持部材３０が揺動する構成になっているが、本発明は、これに限定されるものではない。例えば、下側の挟持部材に摺接面が形成され、回転軸の軸回転に伴い下側の挟持部材が揺動する構成であってもよい。この場合、蓋体が閉位置にある状態では、膨出部がキャップ後面側に傾倒される。さらに、一対の挟持部材のそれぞれに摺接面が形成され、回転軸の軸回転に伴い一対の挟持部材がそれぞれ揺動する構成であってもよい。この場合、膨出部が対称に設けられた構成の回転軸が用いられ、例えば、断面形状が四角形、菱形、楕円形等の回転軸を用いることができる。
また、摺接面３３が形成されない側の挟持部材が揺動する構成であってもよい。
【００４５】
また、上記した実施の形態では、一対の挟持部材３０，３１がそれぞれ片持ち支持された構成になっているが、本発明は、揺動しない下側の挟持部材３１が両端支持されていてもよい。
【００４６】
また、上記した実施の形態では、天板部４１に嵌合凹部４９が形成されているとともに、蓋体５に嵌合凸部５６が突設されているが、本発明は、上記した嵌合凹部４９及び嵌合凸部５６が無い構成であってもよい。
また、回転軸５０としては、筒形状のものに限らず、円柱形状の回転軸であってもよく、さらには、棒状の回転軸本体に外装体が周設され、その外装体に膨出部が形成された構成の回転軸であってもよい。
【００４７】
また、上記した実施の形態では、蓋体５が閉位置及び開位置にある状態においては、回転軸５０が、膨出部１１の半径Ｒ方向が摺接面３３に対して斜めになる向きで配置されているが、本発明は、蓋体が閉位置及び開位置にある状態においては、回転軸が、膨出部の半径方向が摺接面に対して平行になる向きで配置されてもよい。
さらに、蓋体の閉位置において、膨出部と摺接面により前記蓋体が閉方向に付勢される構成とすることによって、係合部５９と被係合部４８からなる係止手段を設けない構成を採用することも可能である。
【００４８】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４９】
【図１】本発明の実施の形態を説明するための振り出し容器用キャップの平面図である。
【図２】本発明の実施の形態を説明するための振り出し容器用キャップの側面図である。
【図３】本発明の実施の形態を説明するための振り出し容器用キャップの断面図である。
【図４】本発明の実施の形態を説明するための振り出し容器用キャップの断面図である。
【図５】本発明の実施の形態を説明するための振り出し容器用キャップの断面図である。
【符号の説明】
【００５０】
１  振り出し容器用キャップ
２  容器本体
４  キャップ本体
５  蓋体
１１  膨出部
３０  挟持部材
３１  挟持部材
３３  摺接面
４１  天板部
４７  振り出し口
４９  嵌合凹部
５０  回転軸
５６  嵌合凸部
Ｏ  キャップ軸
【図１】
2008273550.tif 000003
【図２】
2008273550.tif 000004
【図３】
2008273550.tif 000005
【図４】
2008273550.tif 000006
【図５】
2008273550.tif 000007